(57)【要約】【課題】人感センサによる誤感知を効果的に解消することができる自動販売機を提供する。【解決手段】自動販売機は、外扉３の前面側における所定の感知範囲内の利用者を感知して信号を出力する人感センサ２４を備えたものであって、人感センサ２４の感知範囲内を水が流れ下ることを防止するための水流下防止手段を備えている。水流下防止手段は、金額表示器１２のカバー２８に形成された防水堤３２であり、外扉３の前面を流下して来た水は、防水堤３２にて受け止められ、人感センサ２４の感知範囲外に排出される。【選択図】図４
2014032433.tif 000002
【特許請求の範囲】
【請求項１】
外扉の前面側における所定の感知範囲内の利用者を感知して信号を出力する人感センサを備えた自動販売機において、
前記人感センサの感知範囲内を水が流れ下ることを防止するための水流下防止手段を備えていることを特徴とする自動販売機。
【請求項２】
外扉の前面側における所定の感知範囲内の利用者を感知して信号を出力する人感センサを有するセンサユニットが設けられた自動販売機において、
前記センサユニットは、前記人感センサの感知範囲内を水が流れ下ることを防止するための水流下防止手段を備えていることを特徴とする自動販売機。
【請求項３】
前記センサユニットは、前記人感センサを保護するカバーを備え、
前記水流下防止手段は、少なくとも前記人感センサの感知範囲内における前記カバー外面を水が流れ下ることを防止することを特徴とする請求項２に記載の自動販売機。
【請求項４】
前記水流下防止手段は、前記カバーの少なくとも上縁に形成された防水堤であり、前記外扉の前面を流下して来た水は、前記防水堤にて受け止められ、前記人感センサの感知範囲外に排出されることを特徴とする請求項３に記載の自動販売機。
【請求項５】
前記防水堤は、前記カバーの上縁から連続し、左右縁まで渡って形成されていることを特徴とする請求項４に記載の自動販売機。
【請求項６】
前記カバー外面を、斜め下方に指向するよう傾斜させることにより前記水流下防止手段を構成したことを特徴とする請求項３に記載の自動販売機。
【請求項７】
前記センサユニットを、斜め下方に指向するよう傾斜させたことを特徴とする請求項６に記載の自動販売機。
【請求項８】
前記カバー外面に、親水性処理を施したことを特徴とする請求項３乃至請求項７のうちの何れかに記載の自動販売機。
【請求項９】
前記人感センサは、ドップラー式電波センサであることを特徴とする請求項１乃至請求項８のうちの何れかに記載の自動販売機。
【発明の詳細な説明】
【技術分野】
【０００１】
本発明は、利用者の到来を人感センサによって感知できるようにした自動販売機に関するものである。
【背景技術】
【０００２】
従来よりこの種自動販売機においては、商品サンプル用照明装置の消費電力の削減や、演出効果の向上、防犯性能の改善等を図る目的で、人感センサが設けられるようになって来ている。この人感センサは、例えばドップラー式電波センサであり、外扉の前面側に利用者が到来したことを反射して来る電波によって感知し、信号を出力（出力電圧が変化）する。そして、この人感センサが利用者を感知した場合に、それまで暗くしていた照明装置の照度を上げたり、所定の演出効果（照明や音声）等を奏するように構成されていた（例えば、特許文献１、特許文献２参照）。
【先行技術文献】
【特許文献】
【０００３】
【特許文献１】特開２００８−１０８１２８号公報
【特許文献２】特開２００５−４９９６５号公報
【発明の概要】
【発明が解決しようとする課題】
【０００４】
しかしながら、特に屋外に設置される自動販売機は降雨や降雪、みぞれ等に晒される。この場合、人感センサは、感知範囲内を滴下（感知範囲内の空間を落下）する雨粒等は感知しないものの（利用者の場合とは出力電圧の変化が異なるため）、外扉の前面に降り掛かった雨粒や雪粒、みぞれ等（水滴）が、人感センサを保護するカバーの外面を伝って流れ下ると、その際の出力電圧の変化が、利用者が到来した場合の出力変化と似通って来るため、それを利用者と誤って感知してしまう不都合があった。
【０００５】
本発明は、係る従来の技術的課題を解決するためになされたものであり、人感センサによる誤感知を効果的に解消することができる自動販売機を提供するものである。
【課題を解決するための手段】
【０００６】
上記課題を解決するために、請求項１の発明の自動販売機は、外扉の前面側における所定の感知範囲内の利用者を感知して信号を出力する人感センサを備えたものであって、人感センサの感知範囲内を水が流れ下ることを防止するための水流下防止手段を備えていることを特徴とする。
【０００７】
請求項２の発明の自動販売機は、外扉の前面側における所定の感知範囲内の利用者を感知して信号を出力する人感センサを有するセンサユニットが設けられたものであって、センサユニットは、人感センサの感知範囲内を水が流れ下ることを防止するための水流下防止手段を備えていることを特徴とする。
【０００８】
請求項３の発明の自動販売機は、上記発明においてセンサユニットは、人感センサを保護するカバーを備え、水流下防止手段は、少なくとも人感センサの感知範囲内におけるカバー外面を水が流れ下ることを防止することを特徴とする。
【０００９】
請求項４の発明の自動販売機は、上記発明において水流下防止手段は、カバーの少なくとも上縁に形成された防水堤であり、外扉の前面を流下して来た水は、防水堤にて受け止められ、人感センサの感知範囲外に排出されることを特徴とする。
【００１０】
請求項５の発明の自動販売機は、上記発明において防水堤は、カバーの上縁から連続し、左右縁まで渡って形成されていることを特徴とする。
【００１１】
請求項６の発明の自動販売機は、請求項３の発明においてカバー外面を、斜め下方に指向するよう傾斜させることにより水流下防止手段を構成したことを特徴とする。
【００１２】
請求項７の発明の自動販売機は、上記発明においてセンサユニットを、斜め下方に指向するよう傾斜させたことを特徴とする。
【００１３】
請求項８の発明の自動販売機は、請求項３乃至請求項７の発明においてカバー外面に、親水性処理を施したことを特徴とする。
【００１４】
請求項９の発明の自動販売機は、上記各発明において人感センサは、ドップラー式電波センサであることを特徴とする。
【発明の効果】
【００１５】
請求項１及び請求項２の発明によれば、水流下防止手段により、例えば請求項９の発明のようなドップラー式電波センサから成る人感センサの感知範囲内を、水が流れ下ることを防止することが可能となる。これにより、降雨等の際に人感センサにより、流れ下る雨粒や雪粒、みぞれ等（水）を誤って利用者と感知してしまう不都合を未然に回避することができるようになる。
【００１６】
この場合、請求項３の発明の如く水流下防止手段が、センサユニットの人感センサを保護するカバーの、少なくとも人感センサの感知範囲内における外面を水が流れ下ることを防止するようにすれば、誤感知を確実に防止することが可能となる。
【００１７】
特に、請求項４の発明の如くカバーの少なくとも上縁に形成された防水堤により水流下防止手段を構成し、外扉の前面を流下して来た水をこの防水堤にて受け止め、人感センサの感知範囲外に排出するようにすれば、センサユニットを構成するカバーの比較的簡単な形状変更のみで誤感知を防止することができるようになる。
【００１８】
更に、請求項５の発明の如く防水堤を、カバーの上縁から連続して左右縁まで渡って形成すれば、左右から感知範囲内に回り込もうとする水も阻止することが可能となる。
【００１９】
他方、請求項６の発明の如くカバーの外面を、斜め下方に指向するよう傾斜させることによって水流下防止手段を構成してもよい。この場合は、カバーの上縁から前方の空間を水滴が落下するようになるので問題無い。
【００２０】
この場合、センサユニットが自動販売機の上部に取り付けられる場合には、請求項７の発明の如くセンサユニットを斜め下方に指向するよう傾斜させてもよい。そのようにすれば、センサユニットの取付角度の変更のみで、誤感知を防止することができるようになる。
【００２１】
また、請求項８の発明の如くカバー外面に親水性処理を施せば、カバー外面で水粒が広がり、その厚さが薄くなるので、当該水を利用者として感知し難くなる。従って、万一カバー外面に水が降り掛かった場合にも、誤感知の発生を抑制することが可能となるものである。
【図面の簡単な説明】
【００２２】
【図１】本発明を適用した実施例の自動販売機の正面図である。
【図２】図１の自動販売機の金額表示器（センサユニット）の正面図である。
【図３】図２の金額表示器の斜視図である。
【図４】図１の自動販売機の金額表示器部分の拡大縦断側面図である。
【図５】図１の自動販売機の人感センサに係る電気回路の概略ブロック図である。
【図６】他の実施例の自動販売機の金額表示器部分の拡大縦断側面図である。
【発明を実施するための形態】
【００２３】
以下、本発明の実施の形態について、詳細に説明する。
【実施例１】
【００２４】
図１は実施例の自動販売機１の正面図を示している。実施例の自動販売機１は、前面が開口した断熱性の本体２と、この本体２の前面を開閉自在に閉塞する外扉３を備えており、屋外に設置される。本体２内に図示しない商品収納庫が構成され、この商品収納庫内に販売する缶飲料、ペットボトル飲料等の商品が収納されている。また、商品収納庫の下側には図示しない機械室が構成され、この機械室内には商品収納庫内を冷却又は加温するための冷凍機が設置されている。尚、商品収納庫の前面開口はこれも図示しない断熱性の内扉で開閉自在に閉塞されている。
【００２５】
外扉３は係る内扉の前側に間隔を存して位置しており、実施例では向かって左側が本体２に回動自在に枢支されている。外扉３の前面上部には商品サンプル室４が構成されており、この商品サンプル室４内に陳列された複数の各商品サンプルに対応して複数の商品選択スイッチ６が配置されている。また、商品サンプル室４の下側の外扉３前面には、広告パネル（広告表示部）５が構成されており、この広告パネル５の下側の外扉３前面下部には商品取出口７が構成されている。
【００２６】
更に、外扉３前面の向かって右側（非枢支側）中央部には化粧パネル８が取り付けられており、この化粧パネル８内に位置して硬貨投入口９、返却レバー１１が設けられている。また、この化粧パネル８の向かって左側の外扉３前面には、本発明におけるセンサユニットの実施例としての金額表示器１２が取り付けられている。この金額表示器１２については後に詳述する。
【００２７】
更に、この金額表示器１２の下側の外扉３前面には紙幣識別装置（ビルバリ）１９が取り付けられている。また、商品取出口７の向かって右側の外扉３前面には硬貨返却口１３が構成されている。
【００２８】
商品サンプル室４の各商品選択スイッチ６の後側には蛍光灯やＬＥＤから成る商品サンプル室照明装置１８が取り付けられ、商品サンプル室４内の商品サンプルを照明している。また、商品サンプル室４内上部には飲料メーカー名等が表示されたロゴパネル（広告表示部）１４が配置されている。そして、このロゴパネル１４や広告パネル５には、蛍光灯やＬＥＤから成る広告用照明装置１６、１７がそれぞれ設けられている。尚、照明装置としては係る蛍光灯やＬＥＤの他に、液晶パネルや有機ＥＬ等も採用できる。
【００２９】
次に、図２は前記金額表示器（センサユニット）１２の正面図を示し、図３は斜視図をそれぞれ示している。また、図４はこの金額表示器１２部分の外扉３の拡大縦断側面図を示している。金額表示器１２の基板（回路基板）２１上には、投入金額や商品収納庫内の温度等を表示するための７セグＬＥＤ表示器２２や赤外線通信を行うためのＬＥＤ２３の他、本発明に係る人感センサ２４が取り付けられている。尚、実施例の人感センサ２４としてはドップラー式電波センサが採用されている。
【００３０】
この基板２１はリフレクタと称される硬質樹脂製のケース２６に固定されており、このケース２６の前面の７セグＬＥＤ表示器２２に対応する部分は透視可能とされ、ＬＥＤ２３や人感センサ２４に対応する部分は赤外光／電波の透過が可能とされている（尚、基板２１を隠すために必要箇所以外は透視不能とされている）。また、ケース２６の両側面には外扉３に固定するための取付部２７が突出形成されている。
【００３１】
更に、このケース２６の前面にはレンズと称されるカバー２８が取り付けられる。このカバー２８も透視及び光／電波の透過が可能な硬質樹脂にて構成されており、外扉３に取り付けられた状態で外扉３の前面側に露出し、ケース２６に取り付けられた基板２１上の人感センサ２４を含む各素子を保護する役割を果たす。カバー２８は横長の長方形板状を呈する本体２９から成り、この本体２９の全周には、一旦後退した後、外側に張り出したフランジ３１が一体に形成されている。
【００３２】
また、カバー２８の本体２９の上縁から左右縁に渡る範囲には、防水堤３２が一体に形成されている。この防水堤３２は、本体２９の上縁から斜め前上方に突出した上防水堤３２Ａと、この上防水堤３２Ａの左右に連続して本体２９の左右縁から前方に突出した左右防水堤３２Ｂから成り、本発明における水流下防止手段を構成するものである。更に、このカバー２８の本体２９外面は、親水性処理が施されている。
【００３３】
係る構成の金額表示器１２は、自動販売機１の外扉３に予め形成された横長の長方形状の透孔３６に内側から宛がわれ、取付部２７により外扉３にネジ止めされる（図４）。その際、フランジ３１の前面は図示しないシール材を介して全周に渡り外扉３の内面に当接し、カバー２８と透孔３６間からの水の侵入を防止する。
【００３４】
また、カバー２８の防水堤３２は透孔３６から外側に出て外扉３の前面側に位置する。そして、カバー２８の本体２９の外面は外扉３の前面と略面一となるが、防水堤３２の上防水堤３２Ａは外扉３の前面から離間するように斜め上前方に突出し、その後側の外扉３との間に、図４に示すような断面略Ｖ字状の受水溝３７を左右に渡って構成する。この受水溝３７の左右端は、同じく外扉３の前面側に位置して降下する左右防水堤３２Ｂの上端外側にて開口している。
【００３５】
この状態で７セグＬＥＤ表示器２２は外扉３の前面側から視認可能となると共に、人感センサ２４からの電波はケース２６及びカバー２８を透過して外扉３の前面側における所定の感知範囲内における利用者を感知可能となる。
【００３６】
次に、図５は自動販売機１の人感センサ２４に係る電気回路を示している。基板１２に設けられたマイクロコンピュータから成る制御装置３８の入力には人感センサ２４が接続され、制御装置３８の出力には図示しない自動販売機１の主制御装置を介して、前述した各照明装置１６〜１８が接続される。そして、人感センサ２４は外扉３の前面側に利用者が到来すると、それを感知して出力電圧（信号）が上昇する。制御装置３８は係る人感センサ２４の出力電圧（信号）の変化に基づき、利用者が到来したものと判断した場合には照明装置１６〜１８を点灯し、或いは、その照度を上げ、若しくは、所定の演出照明を実行する。
【００３７】
尚、利用者の有り無しの判断を含めて人感センサと称する場合には、上記制御装置３８と人感センサ２４を含めて本発明の人感センサと云うことができる。そして、その場合は制御装置３８から上記主制御装置に出力される信号が、本発明における人感センサの出力信号となる。
【００３８】
ところで、実施例の自動販売機１は屋外に設置されるものであるため、降雨時には雨粒（水滴）が外扉３前面にも降り掛かる。特に、金額表示器１２より上方における外扉３の前面に付着した水滴は、その後自重で外扉３前面を伝わり、金額表示器１２まで流れ下ってくるが、この水は上防水堤３２Ａの受水溝３７に受け止められる。そして、この受け止められた水は受水溝３７の左右端から左右防水堤３２Ｂの外側に出て流れ下ることになる。
【００３９】
また、金額表示器１２の左右の上方に降り掛かり、流下して来た雨粒が金額表示器１２方向に向かって来た場合にも、左右防水堤３２Ｂがそれを阻み、そのまま外側を流下させるようになる。このような防水堤３２の働きにより、外扉３の前面に付着した雨粒等の水滴が金額表示器１２のカバー２８の本体２９外面に伝って来て流れ下ることが阻止されることになる。これは雨粒以外の水滴が外扉３の前面にかかった場合も同様である。
【００４０】
ここで、人感センサ２４の感知範囲内の空間を雨粒等が落下した場合には、その出力電圧の変化が利用者の場合と異なるために、制御装置３８は利用者と誤感知することは無い。しかしながら、人感センサ２４の感知範囲内におけるカバー２８の本体２９外面を伝って水が流れ下ると、その際の出力電圧の変化が、利用者が到来したときのものと近似するため、制御装置３８は利用者が到来したものと誤って判断（感知）し、前述した照明装置１６〜１８の制御を行ってしまう。
【００４１】
しかしながら、本発明ではカバー２８の防水堤３２により前述したように人感センサ２４の感知範囲内を水が流れ下ることが防止されるので、降雨等の際に人感センサ２４により、流れ下る雨粒等（水）を誤って利用者と感知してしまう不都合を未然に回避することができるようになる。
【００４２】
この場合、防水堤３２は金額表示器１２の人感センサ２４を保護するカバー２８の、少なくとも人感センサ２４の感知範囲内における外面を水が流れ下ることを防止するので、人感センサ２４を用いた場合の誤感知を確実に防止することが可能となる。
【００４３】
特に、実施例のようにカバー２８の上縁に上防水堤３２Ａを構成すれば、外扉３の前面を流下して来た水をこの上防水堤３２Ａと外扉３間の受水溝３７にて受け止め、カバー２８の本体２９の外側（人感センサ２４の感知範囲外）に排出することができるので、金額表示器１２を構成するカバー２８の比較的簡単な形状変更のみで誤感知を防止することができるようになる。
【００４４】
更に、実施例のようにカバー２８上縁の上防水堤３２Ａから連続して本体２９の左右縁まで渡る左右防水堤３２Ｂを形成すれば、左右から感知範囲内に回り込もうとする水も阻止することが可能となり、より一層効果が向上する。
【００４５】
尚、カバー２８の本体２９の外面に直接水滴が降り掛かった場合にも本体２９の外面には前述した如く親水性処理が施されているので、水粒は本体２９の外面で広がり、その厚さが薄くなる。これにより、人感センサ２４の電圧変化も小さくなり、利用者の場合とは異なるようになるので、当該水を利用者として感知し難くなる。従って、このように本体２９外面に直接水が降り掛かった場合にも、誤感知の発生が抑制される。
【００４６】
また、豪雨のときなどは大量の雨水が外扉３の前面を流れ下る状態となる。このような状況では防水堤３２を超えてカバー２８の本体２９外面に水が流れることになるが、連続して流れるので、そのようなときの人感センサ２４の出力電圧の状態を予め制御装置３８に設定しておき、例外的に除外するようにすれば、豪雨時の誤感知も回避することが可能となる。
【実施例２】
【００４７】
次に、図６に基づき本発明の他の実施例について説明する。図６はこの実施例に係る金額表示器１２部分の自動販売機１の拡大縦断側面図を示している。尚、この図において図１乃至図５と同一符号で示すものは同一若しくは同様の機能を奏するものとする。
【００４８】
この実施例の場合、カバー２８には前述した防水堤は設けられておらず、その代わりに外扉３の前面側に位置した本体２９が斜め下方に指向するよう傾斜している（図６）。このように本体２９を傾斜させることで、外扉３の前面を流れて来た水は、カバー２８の本体２９の上端（図６に２９Ａで示す）から本体２９前方の空間を水滴となって落下するようになる。即ち、この傾斜が本発明における水流下防止手段となり、本体２９の外面を伝って水が流れ下る不都合が回避されるので、同様に誤感知を防止することができるようになる。
【００４９】
尚、この実施例ではカバー２８の本体２９のみを傾斜させたが、それに限らず、例えば外扉３の上部に取り付けられる場合には、金額表示器１２そのものを傾斜させて外扉３に取り付け、本体２９が斜め下方に指向するようにしてよい。そのようにすれば、金額表示器１２の取付角度の変更のみで、誤感知を防止することができるようになる。
【００５０】
また、実施例では金額表示器１２内に人感センサ２４を設けて本発明におけるセンサユニットを構成したが、それに限らず、例えば人感センサ２４のみ、若しくは、人感センサ２４と制御装置３８のみを基板２１に設け、当該基板２１をケース２６に取り付け、カバー２８にて覆うことでセンサユニットを構成し、外扉３に取り付けるようにしてもよい。
【００５１】
更に、実施例ではドップラー式電波センサにて人感センサ２４を構成したが、請求項９以外の発明では赤外線センサであってもよい。但し、赤外線センサは温度影響受けるため、特に屋外に設置される自動販売機の場合には、ドップラー式電波センサが好適である。
【００５２】
更にまた、実施例ではセンサユニットとしての金額表示器１２に防水堤３２を形成したが、請求項１の発明ではそれに限らず、金額表示器は従前のものを用い、その上側や左右における外扉３に同様の防水堤（水流下防止手段）を形成しても有効である。但し、実施例（請求項２の発明）のように金額表示器１２（センサユニット）に水流下防止手段を構成することで、自動販売機１の外扉３の設計変更が不要となる利点がある。
【００５３】
また、実施例では金額表示器１２にカバー２８を設けたが、請求項１や請求項２の発明ではそれに限らず、例えば透孔３６を塞ぐカバーを外扉３側に取り付け、人感センサ２４がむき出し状態の状態で取り付けられた金額表示器１２（センサユニット）をその後側に取り付ける構造も有効である。或いは、商品サンプル室４内などに人感センサ２４を設け、当該商品サンプル室４前面の透明カバーで保護するようにしてもよい。何れの場合にも係る保護用のカバーに本発明におけるカバー２８と同様の構造を採用すればよい。
【符号の説明】
【００５４】
１  自動販売機
３  外扉
１２  金額表示器（センサユニット）
１６〜１８  照明装置
２４  人感センサ
２８  カバー
２９  本体
３２  防水堤
３２Ａ  上防水堤
３２Ｂ  左右防水堤
３８  制御装置
【図１】
2014032433.tif 000003
【図２】
2014032433.tif 000004
【図３】
2014032433.tif 000005
【図４】
2014032433.tif 000006
【図５】
2014032433.tif 000007
【図６】
2014032433.tif 000008